(57)【要約】【課題】  パーツ単位で出力された各印刷物が、同一の成果物を構成する印刷物であることの判別を容易にする。【解決手段】  印刷指示に基づいて、成果物を構成する複数のパーツを生成し、複数のパーツを互いに異なる排紙部へ出力するように、ネットワークプリンタ１１０４を制御するジョブ作成処理部１１３２と、パーツごとに、各パーツが互いに関連していることを示すジョブ情報シートを作成するようにネットワークプリンタ１１０４を制御するジョブ情報シート作成処理部１１３５と、ジョブ情報シートを、複数のパーツが排紙される排紙部の各々に排紙するようネットワークプリンタ１１０４を制御するジョブ生成制御部１１３１と、を有する。【選択図】  図１１
2010277336.tif 000002
【特許請求の範囲】
【請求項１】
印刷指示に基づいて、成果物を構成する複数のパーツを生成し、前記複数のパーツの各々をプリンタに印刷させ、前記複数のパーツを互いに異なる排紙部へ出力するように前記プリンタを制御するパーツ生成手段と、
各パーツが互いに関連していることを示すジョブ情報シートを前記パーツごとに作成し、前記プリンタに印刷させるジョブ情報シート作成手段と、
前記ジョブ情報シートの各々が、当該ジョブ情報シートに対応するパーツが排紙される排紙部に排紙されるように前記プリンタを制御する排紙制御手段と
を有することを特徴とする印刷制御装置。
【請求項２】
前記パーツ生成手段は、各パーツを単位とするジョブに分割された様態で複数のパーツを生成することを特徴とする請求項１に記載の印刷制御装置。
【請求項３】
前記プリンタの外部のフィニッシャを使用するか否かを判定し、その判定結果に基づいて前記ジョブの分割の要否を決定する手段を有することを特徴とする請求項２に記載の印刷制御装置。
【請求項４】
前記ジョブ情報シート作成手段は、前記パーツの各々のジョブ情報を取得し、取得したジョブ情報の中から、各パーツが互いに関連していることを示すための情報を選択する選択手段を有することを特徴とする請求項１に記載の印刷制御装置。
【請求項５】
前記ジョブ情報シート作成手段は、各パーツごとに、当該パーツの先頭ページ画像を背景にして前記ジョブ情報シートを作成することを特徴とする請求項１に記載の印刷制御装置。
【請求項６】
前記ジョブ情報シート作成手段は、用紙サイズに応じて、ジョブ情報を印刷する領域サイズを調整することを特徴とする請求項１に記載の印刷制御装置。
【請求項７】
前記プリンタのインサータを使用するか否かを判定し、その判定結果に基づいて前記ジョブ情報シートの作成の要否を判定する手段を有することを特徴とする請求項１に記載の印刷制御装置。
【請求項８】
前記ジョブ情報シート作成手段は、各パーツに対応する前記ジョブ情報シートに、他のパーツの先頭ページ画像を縮小して付加する付加手段を有することを特徴とする請求項１に記載の印刷制御装置。
【請求項９】
印刷指示に基づいて、成果物を構成する複数のパーツを生成し、前記複数のパーツの各々をプリンタに印刷させ、前記複数のパーツを互いに異なる排紙部へ出力するように前記プリンタを制御するパーツ生成ステップと、
各パーツが互いに関連していることを示すジョブ情報シートを前記パーツごとに作成し、前記プリンタに印刷させるジョブ情報シート作成ステップと、
前記ジョブ情報シートの各々が、当該ジョブ情報シートに対応するパーツが排紙される排紙部に排紙されるように前記プリンタを制御する排紙制御ステップと
を有することを特徴とする印刷制御方法。
【請求項１０】
前記パーツ生成ステップは、各パーツを単位とするジョブに分割された様態で複数のパーツを生成することを特徴とする請求項９に記載の印刷制御方法。
【請求項１１】
前記プリンタの外部のフィニッシャを使用するか否かを判定し、その判定結果に基づいて前記ジョブの分割の要否を決定するステップを有することを特徴とする請求項１０に記載の印刷制御方法。
【請求項１２】
前記ジョブ情報シート作成ステップは、前記パーツの各々のジョブ情報を取得し、取得したジョブ情報の中から、各パーツが互いに関連していることを示すための情報を選択する選択ステップを有することを特徴とする請求項９に記載の印刷制御方法。
【請求項１３】
前記ジョブ情報シート作成ステップは、各パーツごとに、当該パーツの先頭ページ画像を背景にして前記ジョブ情報シートを作成することを特徴とする請求項９に記載の印刷制御方法。
【請求項１４】
前記ジョブ情報シート作成ステップは、用紙サイズに応じて、ジョブ情報を印刷する領域サイズを調整することを特徴とする請求項９に記載の印刷制御方法。
【請求項１５】
前記プリンタのインサータを使用するか否かを判定し、その判定結果に基づいて前記ジョブ情報シートの作成の要否を判定するステップを有することを特徴とする請求項９に記載の印刷制御方法。
【請求項１６】
前記ジョブ情報シート作成ステップは、各パーツに対応する前記ジョブ情報シートに、他のパーツの先頭ページ画像を縮小して付加する付加ステップを有することを特徴とする請求項９に記載の印刷制御方法。
【請求項１７】
請求項９に記載の印刷制御方法をコンピュータに実行させるためのコンピュータプログラム。
【発明の詳細な説明】
【技術分野】
【０００１】
本発明は、製本加工や断裁加工などの印刷後のフィニッシング処理をプリンタとは別の機器で行うための印刷制御方法に関する。
【背景技術】
【０００２】
従来のＰＯＤシステムでは、プリンタで印刷だけ実施し、製本加工や断裁加工などの印刷後のフィニッシング処理をプリンタとは別のフィニッシャで行うシステムがある。そのようなシステムでは、プリンタで印刷した印刷物を、オペレータがフィニッシャに運搬する必要があるため、ジョブの仕分けが必要になる。従来のプリンタには、印刷ジョブの仕分けや、ジョブの内容の判別のために、１つの印刷ジョブを出力した後、端部に印刷ジョブに関わる印刷ジョブ情報を印刷したジョブ情報ページを出力させるものがある（例えば、特許文献１参照）。また、ジョブ毎の印刷データを印刷出力させると共に、すべてのジョブが終了、或いは所定数のジョブが終了した時点で、ジョブ情報を一覧表として印刷し、ジョブ毎の印刷物をメイントレイに送出し、ジョブ情報の一覧表をサブトレイに送出するものもある（例えば、特許文献２）。
【先行技術文献】
【特許文献】
【０００３】
【特許文献１】特開２００１−２０５８９９号公報
【特許文献２】特開平７−７８０５８号公報
【発明の概要】
【発明が解決しようとする課題】
【０００４】
しかし、従来は、成果物を構成するパーツ毎にフィニッシャに用紙を運搬するオペレータにとって、パーツ単位で毎に印刷出力された各印刷物が、それぞれ同一の成果物を構成するものであるか否かを判別することが困難であった。そこで、本発明は、パーツ単位で出力された各印刷物が、同一の成果物を構成するための印刷物であることを容易に判別する仕組みを提供する。
【課題を解決するための手段】
【０００５】
本発明の印刷制御装置は、印刷指示に基づいて、成果物を構成する複数のパーツを生成し、前記複数のパーツの各々をプリンタに印刷させ、前記複数のパーツを互いに異なる排紙部へ出力するように前記プリンタを制御するパーツ生成手段と、各パーツが互いに関連していることを示すジョブ情報シートを前記パーツごとに作成し、前記プリンタに印刷させるジョブ情報シート作成手段と、前記ジョブ情報シートの各々が、当該ジョブ情報シートに対応するパーツが排紙される排紙部に排紙されるように前記プリンタを制御する排紙制御手段とを有することを特徴とする。
【発明の効果】
【０００６】
パーツ単位で出力された印刷物が、同一の成果物を構成するための印刷物であることを用意に判別することができ、オペレータによるフィニッシャへのパーツの運搬ミスの軽減を可能とする。
【図面の簡単な説明】
【０００７】
【図１】コンピュータのＨ／Ｗ構成図
【図２】実施例１の主フローチャート
【図３】実施例１のジョブ分割判定処理のフローチャート
【図４】実施例１のパーツ用ジョブ情報シート作成処理のフローチャート
【図５】実施例２のパーツ用ジョブ情報シート作成処理のフローチャート
【図６】実施例３のパーツ用ジョブ情報シート作成処理のフローチャート
【図７】実施例３のジョブ情報描画ブロック作成処理のフローチャート
【図８】実施例４のパーツ用ジョブ情報シート作成処理のフローチャート
【図９】実施例５のパーツ用ジョブ情報シート作成処理のフローチャート
【図１０】実施例５の関連パーツの縮小画像付加処理のフローチャート
【図１１】コンピュータを含むシステム構成図
【図１２】本実施形態にて印刷する文書の一例を示す図
【図１３】（Ａ）は実施例１の表紙パーツ用ジョブ情報シートおよび表紙パーツの出力結果の一例を示す図。（Ｂ）は実施例１の中紙パーツ用ジョブ情報シートおよび中紙パーツの出力結果の一例を示す図
【図１４】（Ａ）は実施例２の表紙パーツ用ジョブ情報シートおよび表紙パーツの出力結果の一例を示す図。（Ｂ）は実施例２の中紙パーツ用ジョブ情報シートおよび中紙パーツの出力結果の一例を示す図
【図１５】（Ａ）は実施例３の用紙サイズＳ（ｎ）がＳ（ｔ２）より大きい場合の中紙パーツ用ジョブ情報シートおよび中紙パーツの出力結果の一例を示す図。（Ｂ）は実施例３の用紙サイズＳ（ｎ）がＳ（ｔ２）以下の場合の中紙パーツ用ジョブ情報シートおよび中紙パーツの出力結果の一例を示す図
【図１６】（Ａ）は実施例５の出力結果の一例を示す図。（Ｂ）は実施例５の中紙パーツ用ジョブ情報シートおよび中紙パーツの出力結果の一例を示す図
【発明を実施するための形態】
【０００８】
以下、本発明を実施するための最良の形態について図面を用いて説明する。
【実施例１】
【０００９】
図１は印刷システムに含まれる印刷制御装置のハードウェア構成を示す図である。コンピュータモジュール１０１はキーボード１３２やマウス１３３のようなポインティングデバイスなどの入力装置をつなぎ、ディスプレイ装置１４４を連結する。ネットワークインタフェイス１３８はコンピュータモジュール１０１をネットワーク接続１０７から接続してシステムの他のコンピュータ装置につなげることができる。そのネットワーク接続１０７はローカルエリアネットワーク（ＬＡＮ）、あるいはワイドエリアネットワーク（ＷＡＮ）である。コンピュータモジュール１０１は、プロセッサーユニット（ＣＰＵ）１３５、メモリユニット１３６、ビデオインタフェイス１３７、キーボード１３２やマウス１３３のためのＩ／Ｏインタフェイス１４３等を含む。メモリユニット１３６は、ランダムアクセスメモリ（ＲＡＭ）やリードオンリーメモリ（ＲＯＭ）から構成される。記憶装置１３９は、ハードディスクドライブ（ＨＤＤ）１４０やフロッピー（登録商標）ディスクドライブ１４１を含む。図には示されていないが磁気テープドライブなどもまた使用してもよい。ＣＤ−ＲＯＭドライブ１４２は不揮発性のデータソースとして提供される。コンピュータモジュール１０１はオペレーションシステムや相互接続バス１３４を介して通信を行うコンピュータモジュール１０１のコンポーネント１３５から１４３を利用する。本発明のフローチャートで示されたステップを実現するソフトウェアは例えば上記に記述されるような記憶装置を含むコンピュータの可読媒体に格納される。ソフトウェアはコンピュータの可読媒体からコンピュータにロードされ、コンピュータ１０１のＣＰＵ１３５によって実行される。そのコンピュータでコンピュータプログラム製品を使用することによりドキュメントの印刷制御に有利な装置として作動することができる。
【００１０】
図１１は、本実施形態における印刷制御装置１１０２とネットワークプリンタ（以下、単にプリンタという）１１０４とフィニッシャ１１０５の構成の一例を示したものである。印刷制御装置１１０２は、ジョブ生成制御部１１３１、ジョブ作成処理部１１３２、ジョブ分割判定処理部１１３３、パーツ用ジョブ生成処理部１１３４、ジョブ情報シート作成処理部１１３５、ジョブ出力処理部１１３６からなる。また、プリンタ１１０４は、排紙部１（１１１１）および排紙部２（１１１２）を有する。また、フィニッシャ１１０５は、給紙部１（１１２１）および給紙部２（１１２２）を有する。ここで、プリンタ１１０４とフィニッシャ１１０５は、紙搬送経路が接続されていない別々の機器である。よって、オペレータが、プリンタの排紙部に排紙された印刷物を、フィニッシャ１１０５の給紙部へ運搬しなければならない。
【００１１】
以下で、本実施形態における印刷制御装置１１０２の処理を図２のフローチャートを用いて説明する。なお本フローに係る印刷制御装置１１０２のプログラムは、フローチャートで示す各ステップがＲＡＭ、ＲＯＭ、ＨＤＤのいずれかの記憶手段に記憶され、ＣＰＵ１３５により実行される。また、本実施形態にて印刷する文書の一例を図１２に示す。
【００１２】
ジョブ作成処理部１１３２は、オペレータによって入力されて印刷設定に基づき、図１２に示す文書の印刷ジョブを作成すると共に、印刷設定をジョブ情報として作成し（Ｓ２０１）、内部の記憶装置に保存する。例えば、ジョブ情報は、ジョブＩＤ、ユーザ名、ジョブ名、ジョブＩＤをバーコード化したデータ、出力用紙サイズ、仕上がり用紙サイズ、フィニッシング設定、Ｎｕｐ設定、給紙先、排紙先、など、ジョブ固有の情報や印刷設定などから構成される。次に、ジョブ生成制御部１１３１は、ユーザから印刷の選択を受け付ける（Ｓ２０２）と、保存しておいた印刷ジョブを、ジョブ分割判定処理部１１３３に送信する。ジョブ分割判定処理部１１３３は、受信した印刷ジョブを複数のパーツごとのジョブに分割するか否かを判定する（Ｓ２０３）。
【００１３】
図３は、本実施例のジョブ分割判定処理の詳細を示すフローチャートである。まず、ジョブ分割判定処理部１１３３は、プリンタ本体に付属しているフィニッシャを使用するか否かを判定する（Ｓ３０１）。ステップＳ３０１の判定にて、プリンタ本体に付属しているフィニッシャを使用しない場合は、ジョブ分割判定処理部１１３３は、プリンタの外部のフィニッシャを使用するか否かを判定する（Ｓ３０２）。ステップＳ３０２の判定結果が、ＹＥＳである場合は、ジョブ分割判定処理部１１３３は、印刷ジョブによる成果物が、複数のパーツ（例えば、表紙と中紙など）からなる構成されるか否かを判定する（Ｓ３０３）。ステップＳ３０３の判定にて、印刷ジョブによる成果物が、複数のパーツ（例えば、表紙と中紙など）からなる成果物である場合は、ジョブ分割判定処理部１１３３は、ジョブをパーツごとに分割するために、ジョブ分割フラグをＯＮに設定する（Ｓ３０４）。上記以外の場合は、ジョブを分割しないため、ジョブ分割判定処理部１１３３は、ジョブ分割フラグをＯＦＦに設定する（Ｓ３０５）。
【００１４】
図２に戻って、ジョブ生成制御部１１３１は、ジョブ分割フラグをチェックする（Ｓ２０４）。ジョブ分割フラグがＯＮであった場合は、ジョブ生成制御部１１３１は、パーツ用ジョブ生成処理部１１３４に、分割前のジョブを送信する。次に、パーツ用ジョブ生成処理部１１３４は、分割前の印刷ジョブを各パーツを単位とする複数のジョブに分割した様態でパーツ用ジョブを生成する（Ｓ２０５）と共に、各パーツ用ジョブのジョブ情報を内部の記憶装置に記憶する。次に、ジョブ生成制御部１１３１は、パーツ用ジョブ毎の排紙先を設定すると共に、内部に記憶している各パーツ用ジョブのジョブ情報に付加する（Ｓ２０６）。例えば、表紙パーツの排紙口は排紙部１（１１１１）に設定し、中紙パーツの排紙口は排紙部２（１１１２）に設定する。以上の様にしてパーツ生成が行われる。
【００１５】
次に、ジョブ情報シート作成処理部１１３５は、パーツ毎に各パーツ用ジョブ情報シートを作成する。図４は、本実施例のパーツ用ジョブ情報シート作成処理のフローチャートである。また、図１３（Ａ）は表紙パーツのジョブ情報シートの例で、図１３（Ｂ）は、中紙パーツのジョブ情報シートの例である。まず、ジョブ情報シート作成処理部１１３５は、パーツの個数を取得（Ｎ）しパーツ数として内部の記憶装置に記憶する（Ｓ４０１）。次に、ジョブ情報シート作成処理部１１３５は、内部の記憶装置から、各パーツ用ジョブのジョブ情報を取得する（Ｓ４０２）。次に、ジョブ情報シート作成処理部１１３５は、取得した各パーツ用ジョブ情報の中から各パーツを関連付ける情報を選択する（Ｓ４０３）。例えば、各パーツを関連付ける情報として、ジョブＩＤ、ジョブ名、ユーザ名、ジョブＩＤをバーコード化したデータなどを選択する。次に、ジョブ情報シート作成処理部１１３５は、ジョブ情報シートのベースとして、パーツ用ジョブの出力用紙サイズと同じサイズの白紙画像（図１３（Ａ）１３０１、図１３（Ｂ）１３１１）を生成する（Ｓ４０４）。次に、ジョブ情報シート作成処理部１１３５は、各パーツを関連付ける情報を印字するために、選択したジョブ情報を矩形状の領域に画像化したジョブ情報描画ブロック（図１３（Ａ）１３０３、図１３（Ｂ）１３１３）を作成する（Ｓ４０５）。次に、ジョブ情報シート作成処理部１１３５は、ジョブ情報シートのベースに、ジョブ情報描画ブロックを上書き描画する（Ｓ４０６）。ジョブ情報シート作成処理部１１３５は、上記処理を全てのパーツごとに実行する。次に、ジョブ生成制御部１１３１は、各パーツ用ジョブ情報シートの排紙口、および各パーツ用ジョブおよび各パーツ用ジョブ情報シートの出力順序を決定する（Ｓ２０８）。ここで、各ジョブ情報シートの排紙口は、対応するパーツの排紙口と同じとする。例えば、表紙を排紙口１、中紙を排紙口２へ排紙する場合、表紙に対応するジョブ情報シートを排紙口１へ、中紙に対応するジョブ情報シートを排紙口２へ、それぞれ排紙制御する。また、印刷順序については、パーツ用ジョブと当該パーツ用ジョブ情報シートが連続的に印刷されることが望ましい。例えば、表紙用ジョブ、表紙用ジョブ情報シート、中紙用ジョブ、中紙用ジョブ情報シート、の順である。次に、ジョブ生成制御部１１３１は、各パーツ用ジョブおよび各パーツ用ジョブ情報シートを出力順序に従って、ジョブ出力処理部に送信する。次に、ジョブ出力処理部は、各パーツ用ジョブおよび各パーツ用ジョブ情報シートの印刷ジョブをジョブ生成制御部から受信した順にプリンタやプリンタコントローラに出力する（Ｓ２０９）。
【００１６】
図１２に示す文書を図２、図３、図４のフローチャートに従って処理すると、図１３（Ａ）ならびに図１３（Ｂ）の結果を得られる。以上のステップにより、表紙パーツと中紙パーツのようにパーツ毎に出力された各印刷物に対し、それぞれ同一の印刷指示によって出力されたものか否かの判別が容易になり、オペレータによるフィニッシャへの印刷物の運搬ミスを軽減することができる。
【実施例２】
【００１７】
実施例１において、印刷制御装置１１０２のパーツ用ジョブ情報シート作成処理では、ジョブ情報シートに、各パーツ用ジョブが互いに関連していることを示す情報として、文字列情報やコード情報を印字していた。しかし、それぞれのパーツとパーツ用ジョブ情報シートの間に他のジョブが割り込んでしまった場合に、オペレータは、パーツとパーツ用ジョブ情報シートのマッチング作業を行う必要がある。そこで、本実施例では、ジョブ情報シートに、それぞれのパーツ用ジョブ自身の先頭ページのコンテンツを背景として描画するパーツ用ジョブ情報シート作成処理について、図５のフローチャートを用いて説明する。なお本フローに係る印刷制御装置１１０２のプログラムは、フローチャートで示す各ステップがＲＡＭ、ＲＯＭ、ＨＤＤのいずれかの記憶手段に記憶され、ＣＰＵ１３５により実行される。
【００１８】
図５のＳ５０１からＳ５０４でのステップは、図４のＳ４０１からＳ４０４までのステップと同様であるので、説明を省略する。次に、ジョブ情報シート作成処理部１１３５は、パーツの先頭ページのコンテンツを取得し、画像化する（Ｓ５０５）。次に、ジョブ情報シート作成処理部１１３５は、各パーツを関連付ける情報を印字するために、選択したジョブ情報を矩形状の領域に画像化したジョブ情報描画ブロック（図１３（Ａ）１３０３、図１３（Ｂ）１３１３）を作成する（Ｓ５０６）。次に、ジョブ情報シート作成処理部１１３５は、ジョブ情報シートのベースに、先頭ページ画像を背景として上書き描画する（Ｓ５０７）。次に、ジョブ情報シート作成処理部１１３５は、ジョブ情報シートのベースに、ジョブ情報描画ブロックをさらに上書き描画する（Ｓ５０８）。ジョブ情報シート作成処理部１１３５は、上記処理を全てのパーツごとに実行する。他の処理は、図２、図３と同様であるので、説明を省略する。図１２に示す文書を図２、図３、図５のフローチャートに従って処理すると、図１４（Ａ）ならびに図１４（Ｂ）の結果を得られる。以上のステップにより、オペレータによるパーツとパーツ用ジョブ情報シートのマッチング作業が容易になり、パーツとパーツ用ジョブ情報シートの組み合わせのミスの軽減を可能とする効果を得ることができる。
【実施例３】
【００１９】
実施例１において、印刷制御装置１１０２のパーツ用ジョブ情報シート作成処理では、ジョブ情報シートに、各パーツ用ジョブが互いに関連していることを示す情報として、文字列情報やコード情報を印字した。しかし、ジョブ情報を印字する領域よりも、用紙サイズが小さい場合に、ジョブ情報の欠落が発生する場合が起こり得る。そこで、本実施例では、用紙サイズに応じて、ジョブ情報描画ブロックのサイズを調整するパーツ用ジョブ情報シート作成処理について、図６および図７のフローチャートを用いて説明する。なお本フローに係る印刷制御装置１１０２のプログラムは、フローチャートで示す各ステップがＲＡＭ、ＲＯＭ、ＨＤＤのいずれかの記憶手段に記憶され、ＣＰＵ１３５により実行される。
【００２０】
図６のＳ６０１からＳ６０５および  Ｓ６０７からＳ６０９までのステップは、図５のＳ５０１からＳ５０５およびＳ５０７からＳ５０９までのステップと同様であるので、説明を省略する。次に、ジョブ情報シート作成処理部１１３５は、各パーツを関連付ける情報を印字するために、選択したジョブ情報を矩形状の領域に画像化したジョブ情報描画ブロックのサイズ調整おおよび作成を行う（Ｓ６０６）。
【００２１】
図７は、本実施例のジョブ情報描画ブロック作成処理の詳細を示すフローチャートである。まず、ジョブ情報シート作成処理部１１３５は、取得してある各パーツ用ジョブ情報の中からパーツの出力用紙サイズ（Ｓ（ｎ））を抽出する（Ｓ７０１）。次に、ジョブ情報シート作成処理部１１３５は、パーツの出力用紙サイズ（Ｓ（ｎ））と第１の閾値Ｓ（ｔ１）を比較する（Ｓ７０２）。パーツの出力用紙サイズ（Ｓ（ｎ））が第一の閾値Ｓ（ｔ１）より大きい場合は、ジョブ情報シート作成処理部１１３５は、予め定めておいた矩形領域サイズＳ（ｂ１）をジョブ情報描画ブロックサイズとして選択する（Ｓ７０３）。次に、ジョブ情報シート作成処理部１１３５は、上記のようにして選択した矩形領域サイズに応じて、文字サイズ（大）を選択する（Ｓ７０７）。パーツの出力用紙サイズ（Ｓ（ｎ））が第一の閾値Ｓ（ｔ１）以下の場合は、ジョブ情報シート作成処理部１１３５は、パーツの出力用紙サイズ（Ｓ（ｎ））と第２の閾値Ｓ（ｔ２）を比較する（Ｓ７０４）。パーツの出力用紙サイズ（Ｓ（ｎ））が第一の閾値Ｓ（ｔ２）より大きい場合は、ジョブ情報シート作成処理部１１３５は、予め定めておいた矩形領域サイズＳ（ｂ２）をジョブ情報描画ブロックサイズとして選択する（Ｓ７０５）。次に、ジョブ情報シート作成処理部１１３５は、上記のようにして選択した矩形領域サイズに応じて、文字サイズ（標準）を選択する（Ｓ７０８）。パーツの出力用紙サイズ（Ｓ（ｎ））が第一の閾値Ｓ（ｔ２）以下の場合は、ジョブ情報シート作成処理部１１３５は、予め定めておいた矩形領域サイズＳ（ｂ３）をジョブ情報描画ブロックサイズとして選択する（Ｓ７０６）。次に、ジョブ情報シート作成処理部１１３５は、上記のようにして選択した矩形領域サイズに応じて、文字サイズ（小）を選択する（Ｓ７０９）。次に、ジョブ情報シート作成処理部１１３５は、選択した文字サイズのジョブ情報を、選択した矩形領域サイズに描画して画像化した、ジョブ情報描画ブロックを作成する（Ｓ７１０）。他の処理は、図２、図３と同様であるので、説明を省略する。図１２に示す文書を図２、図３、図６、図７のフローチャートに従って処理すると、図１５（Ａ）ならびに図１５（Ｂ）の結果を得られる。以上のステップにより、ジョブ情報を印字する領域よりも、用紙サイズが小さい場合に、ジョブ情報の欠落防止を可能とする効果を得ることができる。
【実施例４】
【００２２】
実施例２において、印刷制御装置１１０２のパーツ用ジョブ情報シート作成処理では、ジョブ情報シートに、文字列情報やコード情報を印字するとともに、それぞれのパーツ用ジョブ自身の先頭ページのコンテンツを背景として描画していた。しかし、事前に所定のパーツを他のプリンタなどで印刷したプレプリント紙を用いる場合は、そのようなプレプリント紙は直接フィニッシャに運搬しておけば良いので、残りのパーツを印刷する際に、プレプリント紙に該当するパーツの印刷処理は発生しない。そこで、本実施例では、所定のパーツにプレプリント紙を使用する場合に、プレプリント紙が該当するパーツ用ジョブやジョブ情報シートの印刷の要・不要を判定するパーツ用ジョブ情報シート作成処理について、図８のフローチャートを用いて説明する。なお本フローに係る印刷制御装置１１０２のプログラムは、フローチャートで示す各ステップがＲＡＭ、ＲＯＭ、ＨＤＤのいずれかの記憶手段に記憶され、ＣＰＵ１３５により実行される。
【００２３】
図８のＳ８０１からＳ８０２までのステップは、図５のＳ５０１からＳ５０２までのステップと同様であるので、説明を省略する。次に、ジョブ情報シート作成処理部１１３５は、取得したジョブ情報から、パーツの給紙段情報を抽出し、所定の給紙段が指定されている否かを判定する（Ｓ８０３、Ｓ８０４）。次に、その判定結果が、ＹＥＳである場合、ジョブ生成管理部１１３１は、パーツジョブの印刷処理を無効化する（Ｓ８１２）。本実施例では、例えば、パーツジョブがインサータからの給紙を指定されていた場合に、ジョブ情報シート作成処理部１１３５は、パーツジョブの印刷処理を無効化する。次に、ジョブ情報シート作成処理部１１３５は、パーツ用ジョブ情報シートの印刷要否を判定する（Ｓ８１３）。パーツ用ジョブ情報シートの印刷が不要と判定した場合は、ジョブ情報シート作成処理部１１３５は、パーツ用ジョブ情報シートの作成処理を実行せずに残パーツがあるか否かの判定処理に移行する。本実施例では、例えば、パーツジョブの印刷処理が無効な場合に、ジョブ情報シート作成処理部１１３５は、パーツ用ジョブ情報シートの印刷を不要と判定する。パーツ用ジョブ情報シートの印刷が必要と判定した場合は、ジョブ情報シート作成処理部１１３５は、Ｓ８０５以降のパーツ用ジョブ情報シートの作成処理を続行する。図８のＳ８０５からＳ８１１は、図５のＳ５０３からＳ５０９までのステップと同様であるので、説明を省略する。
【００２４】
ジョブ情報シート作成処理部１１３５は、上記処理を全てのパーツごとに実行する。他の処理は、図２、図３と同様であるので、説明を省略する。以上のステップにより、所定のパーツのプレプリント紙を直接フィニッシャに運搬する場合に、残りのパーツの印刷時に、プレプリント紙が該当するパーツのジョブやジョブ情報シートの無駄な印刷の防止を可能とする効果を得ることができる。
【実施例５】
【００２５】
実施例１において、印刷制御装置１１０２のパーツ用ジョブ情報シート作成処理では、ジョブ情報シートに、各パーツ用ジョブが互いに関連していることを示す情報として、文字列情報やコード情報を印字していた。しかし、相互に関係の無い印刷ジョブが複数出力された場合に、オペレータは、それぞれのジョブのパーツ用ジョブ間の関係を文字情報やコード情報から判別する必要がある。そこで、本実施例では、ジョブ情報シートに、それぞれのパーツ用ジョブに対する関連パーツの先頭ページの縮小画像を付加するパーツ用ジョブ情報シート作成処理について、図９および図１０のフローチャートを用いて説明する。なお本フローに係る印刷制御装置１１０２のプログラムは、フローチャートで示す各ステップがＲＡＭ、ＲＯＭ、ＨＤＤのいずれかの記憶手段に記憶され、ＣＰＵ１３５により実行される。
【００２６】
図９のＳ９０１からＳ９０８までのステップは、図５のＳ５０１からＳ５０８までのステップと同様であるので、説明を省略する。次に、ジョブ情報シート作成処理部１１３５は、関連パーツの先頭ページの縮小画像をジョブ情報シートに付加する（Ｓ９０９）。
【００２７】
図１０は、本実施例の関連パーツの縮小画像付加処理のフローチャートである。まず、ジョブ情報シート作成処理部１１３５は、関連パーツの先頭ページ画象を取得する（Ｓ１００１）。次に、ジョブ情報シート作成処理部１１３５は、取得した関連パーツの先頭ページ画像を所定の比率で縮小化する（Ｓ１００２）。次に、ジョブ情報シート作成処理部１１３５は、上記のようにして作成した縮小画像をジョブ情報シートに追加する位置を選択する（Ｓ１００３）。本実施例では、ジョブ情報ブロックの上下左右の内、最も広い空き領域を選択する。次に、ジョブ情報シート作成処理部１１３５は、縮小画像を、ジョブ情報シートの選択した位置に上書き描画する（Ｓ１００４）。ジョブ情報シート作成処理部１１３５は、上記処理を全てのパーツごとに実行する。他の処理は、図２、図３と同様であるので、説明を省略する。図１２に示す文書を図２、図３、図９、図１０のフローチャートに従って処理すると、図１６（Ａ）ならびに図１６（Ｂ）の結果を得られる。以上のステップにより、相互に関係の無い印刷ジョブが複数出力された場合に、それぞれのジョブのパーツ間の関係の判別を容易にし、判別ミスを軽減することを可能とする効果を得ることができる。
【００２８】
また、本発明は、以下の処理を実行することによっても実現される。即ち、上述した実施形態の機能を実現するソフトウェア（プログラム）を、ネットワーク又は各種記憶媒体を介してシステム或いは装置に供給し、そのシステム或いは装置のコンピュータ（またはＣＰＵやＭＰＵ等）がコンピュータプログラムを読み出して実行する処理である。この場合、そのプログラム、及び該プログラムを記憶した記憶媒体は本発明を構成することになる。
【図１】
2010277336.tif 000003
【図２】
2010277336.tif 000004
【図３】
2010277336.tif 000005
【図４】
2010277336.tif 000006
【図５】
2010277336.tif 000007
【図６】
2010277336.tif 000008
【図７】
2010277336.tif 000009
【図８】
2010277336.tif 000010
【図９】
2010277336.tif 000011
【図１０】
2010277336.tif 000012
【図１１】
2010277336.tif 000013
【図１２】
2010277336.tif 000014
【図１３】
2010277336.tif 000015
【図１４】
2010277336.tif 000016
【図１５】
2010277336.tif 000017
【図１６】
2010277336.tif 000018